【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
第１の側の第１面、および、前記第１の側と反対側の第２面を有し、前記第１面に画像が表示される表示パネルと、
平面視において前記表示パネルと重なる複数の第１電極と、
平面視において前記表示パネルと重なる第２電極と、
を有し、
前記第２電極は、前記複数の第１電極に対して前記第１の側と反対側に配置され、
前記第２電極の静電容量に基づいて、前記第１面への物体の近接または接触が検出され、かつ前記複数の第１電極は前記第１面への物体の近接または接触を検出しない第１モードと、
前記複数の第１電極の各々の静電容量に基づいて、前記第１面に近接または接触した前記物体の位置が検出され、かつ前記複第２電極は前記第１面への物体の近接または接触を検出しない第２モードと、を備える、表示装置。
【請求項２】
請求項１記載の表示装置において、
平面視において、第１方向にそれぞれ延在し、かつ、前記第１方向と交差する第２方向に配列された複数の前記第２電極を有し、
前記複数の第２電極の各々の静電容量に基づいて、前記物体の近接または接触が検出される、表示装置。
【請求項３】
請求項２記載の表示装置において、
前記複数の第２電極の各々は、走査線または信号線である、表示装置。
【請求項４】
請求項１記載の表示装置において、
前記複数の第１電極は、前記表示パネル内に配置されている、表示装置。
【請求項５】
請求項４記載の表示装置において、
前記表示パネルは、
第１基板と、
前記第１基板に対して前記第１の側に配置された第２基板と、
を含み、
前記第２電極は、前記第１基板に対して前記第１の側と反対側に配置されている、表示装置。
【請求項６】
請求項５記載の表示装置において、
前記第１基板と前記第２電極との間に空間が設けられている、表示装置。
【請求項７】
請求項５記載の表示装置において、
前記表示パネルは、前記第１基板と前記第２基板との間に配置された液晶層を含み、
前記複数の第１電極は、前記第１基板と前記液晶層との間に配置されている、表示装置。
【請求項８】
請求項１記載の表示装置において、
前記第２電極は、平面視において前記複数の第１電極の各々と重なり、
前記複数の第１電極の各々が電気的に浮遊した状態で、前記第２電極の静電容量に基づいて、前記物体の近接または接触が検出される、表示装置。
【請求項９】
請求項８記載の表示装置において、
平面視において第３方向にそれぞれ延在し、かつ、前記第３方向と交差する第４方向に配列された複数の走査線と、
平面視において前記第４方向にそれぞれ延在し、かつ、前記第３方向に配列された複数の信号線と、
を有し、
前記第２電極は、平面視において前記複数の走査線および前記複数の信号線の各々と重なり、
前記複数の走査線および前記複数の信号線の各々が電気的に浮遊した状態で、前記第２電極の静電容量に基づいて、前記物体の近接または接触が検出される、表示装置。
【請求項１０】
請求項１記載の表示装置において、
前記表示パネルに対して前記第１の側に配置された第３基板を有し、
前記複数の第１電極は、前記第３基板に対して前記第１の側に配置され、
前記第２電極は、前記第３基板と前記表示パネルとの間に配置されている、表示装置。
【請求項１１】
請求項１記載の表示装置において、
前記複数の第１電極および前記第２電極の各々の静電容量を検出する検出部を有し、
前記検出部は、前記第２電極の静電容量を検出することにより、前記物体の近接または接触を検出する第１検出処理を行い、
前記第１検出処理において、前記物体の近接または接触が検出されなかったとき、前記検出部は、前記第１検出処理を繰り返し、
前記第１検出処理において、前記物体の近接または接触が検出されたとき、前記検出部は、前記複数の第１電極の各々の静電容量を個別に検出することにより、前記物体の位置を検出する第２検出処理を行う、表示装置。
【請求項１２】
請求項１１記載の表示装置において、
前記検出部は、
前記複数の第１電極の各々の静電容量を検出する第１検出回路と、
前記第２電極の静電容量を検出する第２検出回路と、
前記第１検出回路と前記複数の第１電極との接続状態を切り替える切り替え部と、
を含み、
前記検出部は、前記第１検出処理において、前記第２電極の静電容量を前記第２検出回路により検出し、
前記検出部は、前記第２検出処理において、前記切り替え部により前記複数の第１電極を前記第１検出回路に接続することにより、前記複数の第１電極の各々の静電容量を個別に検出し、
前記検出部は、前記切り替え部により前記複数の第１電極の各々を電気的に浮遊させた状態で、前記第１検出処理を行う、表示装置。
【請求項１３】
第１の側の第１面、および、前記第１の側と反対側の第２面を有する基板と、
平面視において前記基板と重なる複数の第１電極と、
平面視において前記基板と重なる第２電極と、
を有し、
前記第２電極は、前記複数の第１電極に対して前記第１の側と反対側に配置され、
前記第２電極の静電容量に基づいて、前記第１面への物体の近接または接触が検出され、かつ前記複数の第１電極は前記第１面への物体の近接または接触を検出しない第１モードと、
前記複数の第１電極の各々の静電容量に基づいて、前記第１面に近接または接触した前記物体の位置が検出され、かつ前記複第２電極は前記第１面への物体の近接または接触を検出しない第２モードと、を備える、入力装置。
【請求項１４】
請求項１３記載の入力装置において、
平面視において第１方向にそれぞれ延在し、かつ、前記第１方向と交差する第２方向に配列された複数の前記第２電極を有し、
前記複数の第２電極の各々の静電容量に基づいて、前記物体の近接または接触が検出される、入力装置。
【請求項１５】
請求項１３記載の入力装置において、
前記第２電極は、平面視において前記複数の第１電極の各々と重なり、
前記複数の第１電極の各々が電気的に浮遊した状態で、前記第２電極の静電容量に基づいて、前記物体の近接または接触が検出される、入力装置。
【請求項１６】
請求項１３記載の入力装置において、
前記複数の第１電極および前記第２電極の各々の静電容量を検出する検出部を有し、
前記検出部は、前記第２電極の静電容量を検出することにより、前記物体の近接または接触を検出する第１検出処理を行い、
前記第１検出処理において、前記物体の近接または接触が検出されなかったとき、前記検出部は、前記第１検出処理を繰り返し、
前記第１検出処理において、前記物体の近接または接触が検出されたとき、前記検出部は、前記複数の第１電極の各々の静電容量を個別に検出することにより、前記物体の位置を検出する第２検出処理を行う、入力装置。
【請求項１７】
請求項１６記載の入力装置において、
前記検出部は、
前記複数の第１電極の各々の静電容量を検出する第１検出回路と、
前記第２電極の静電容量を検出する第２検出回路と、
前記第１検出回路と前記複数の第１電極との接続状態を切り替える切り替え部と、
を含み、
前記検出部は、前記第１検出処理において、前記第２電極の静電容量を前記第２検出回路により検出し、
前記検出部は、前記第２検出処理において、前記切り替え部により前記複数の第１電極を前記第１検出回路に接続することにより、前記複数の第１電極の各々の静電容量を個別に検出し、
前記検出部は、前記切り替え部により前記複数の第１電極の各々を電気的に浮遊させた状態で、前記第１検出処理を行う、入力装置。
【請求項１８】
請求項１３から請求項１７のいずれか１項に記載の入力装置において、
前記複数の第１電極の各々の前記静電容量は、前記複数の第１電極の各々の自己容量であり、
前記第２電極の前記静電容量は、前記第２電極の自己容量である入力装置。
【請求項１９】
基板と
タッチ検出面と、
平面視において前記基板と重なる複数の第１電極と、
平面視において前記基板と重なる少なくとも１つの第２電極と、
前記複数の第１電極の各々へ第１駆動信号を供給し、前記第２電極へ第２駆動信号を供給する検出回路と、
を有し、
前記複数の第１電極は、前記タッチ検出面と前記第２電極との間に位置し、
前記第２電極の静電容量に基づいて、前記タッチ検出面への物体の近接または接触が、前記第２電極から検出される第１モードと、
前記複数の第１電極の各々の静電容量に基づいて、前記タッチ検出面に近接または接触した前記物体の位置が前記複数の第１電極から検出される第２モードと、を備える入力装置。
【請求項２０】
請求項１９に記載の入力装置において、
前記複数の第１電極と前記検出回路とを電気的に接続する複数の第１配線と、
前記第２電極と前記検出回路とを電気的に接続する複数の第２配線と、を更に有し、
前記第１駆動信号は、前記複数の第１配線の各々から前記複数の第１電極の各々へ、直接供給され、
前記第２駆動信号は、前記第２配線から前記第２電極へ、直接供給される入力装置。
【請求項２１】
請求項１９または請求項２０に記載の入力装置において、
前記第１モードでは、前記複数の第１電極は物体の近接または接触を検出せず、
前記第２モードでは、前記第２電極は物体の近接または接触を検出しない入力装置。
【請求項２２】
請求項１９から請求項２１のいずれか１項に記載の入力装置において、
前記第１モードにおいて、前記物体の近接または接触が検出されたとき、前記第１モードから前記第２モードに移行する入力装置。